(57)【要約】【課題】容易に報告書を作成することができる報告書作成装置を提供する。【解決手段】報告書作成装置１００は、分析装置で取得した測定データに基づいて、報告書を作成する報告書作成装置であって、測定データを解析するためのユーザーの操作を操作情報として記憶部１３０に記憶させる操作情報取得部１１４と、記憶部１３０に記憶された操作情報に基づいて、レイアウト情報記憶部に記憶された複数のレイアウト情報から１つのレイアウト情報を選択するレイアウト選択部１１６と、選択されたレイアウト情報に基づいて、測定データを配置して報告書を作成する報告書作成部１１８と、を含む。【選択図】図２
2018106271.tif 000002
【特許請求の範囲】
【請求項１】
分析装置で取得した測定データの解析結果を示す報告書を作成する報告書作成装置であって、
前記測定データに対する解析を行うためのユーザーの操作を操作情報として操作情報記憶部に記憶させる操作情報取得部と、
前記操作情報記憶部に記憶された前記操作情報に基づいて、レイアウト情報記憶部に記憶された複数のレイアウト情報から１つの前記レイアウト情報を選択するレイアウト選択部と、
選択された前記レイアウト情報に基づいて、前記測定データを配置して報告書を作成する報告書作成部と、
を含む、報告書作成装置。
【請求項２】
請求項１において、
前記操作情報取得部は、前記操作情報を受け付けて、順次、前記操作情報記憶部に記憶させ、
前記レイアウト選択部は、前記操作情報記憶部に記憶された前記操作情報の履歴に基づいて、前記レイアウト情報を選択する、報告書作成装置。
【請求項３】
請求項１または２において、
前記レイアウト情報は、前記測定データの種類と数の情報、前記報告書上における前記測定データが表示される領域の位置の情報、および前記報告書上における前記測定データが表示される領域の大きさの情報を含む、報告書作成装置。
【請求項４】
請求項１ないし３のいずれか１項において、
前記操作情報を入力するための操作部と、
前記操作情報に基づいて、前記測定データに対する解析を行う解析部と、
を含む、報告書作成装置。
【請求項５】
分析装置で取得した測定データの解析結果を示す報告書を作成するためのプログラムであって、
前記測定データに対する解析を行うためのユーザーの操作を操作情報として操作情報記憶部に記憶させる操作情報取得部と、
前記操作情報記憶部に記憶された前記操作情報に基づいて、レイアウト情報記憶部に記憶された複数のレイアウト情報から１つの前記レイアウト情報を選択するレイアウト選択部と、
選択された前記レイアウト情報に基づいて、前記測定データを配置して報告書を作成する報告書作成部としてコンピューターを機能させるプログラム。
【請求項６】
分析装置で取得した測定データの解析結果を示す報告書を作成するためのプログラムを記憶したコンピューター読み取り可能な非一時的な情報記憶媒体であって、
前記測定データに対する解析を行うためのユーザーの操作を操作情報として操作情報記憶部に記憶させる操作情報取得部と、
前記操作情報記憶部に記憶された前記操作情報に基づいて、レイアウト情報記憶部に記憶された複数のレイアウト情報から１つの前記レイアウト情報を選択するレイアウト選択部と、
選択された前記レイアウト情報に基づいて、前記測定データを配置して報告書を作成する報告書作成部としてコンピューターを機能させるプログラムを記憶した情報記憶媒体。
【請求項７】
分析装置で取得した測定データの解析結果を示す報告書を作成する報告書作成方法であ
って、
前記測定データに対する解析を行うためのユーザーの操作を操作情報として操作情報記憶部に記憶させる操作情報取得工程と、
前記操作情報記憶部に記憶された前記操作情報に基づいて、レイアウト情報記憶部に記憶された複数のレイアウト情報から１つの前記レイアウト情報を選択するレイアウト選択工程と、
選択された前記レイアウト情報に基づいて、前記測定データを配置して報告書を作成する報告書作成工程と、
を含む、報告書作成方法。
【発明の詳細な説明】
【技術分野】
【０００１】
本発明は、報告書作成装置、プログラム、情報記憶媒体、および報告書作成方法に関する。
【背景技術】
【０００２】
電子顕微鏡や、質量分析装置、電子プローブマイクロアナライザーなどの分析装置で取得された測定データ（スペクトルや、画像など）は、多くの情報を有している。そのため、分析装置で取得された測定データに対して様々な解析を行うことで、様々な情報を取得することができる（例えば特許文献１参照）。
【先行技術文献】
【特許文献】
【０００３】
【特許文献１】特開２０１６−６１７６５号公報
【発明の概要】
【発明が解決しようとする課題】
【０００４】
しかしながら、測定データが有している多くの情報のなかでも、ユーザーが注目する情報はごく一部である場合が多い。そのため、測定データの解析結果を示す報告書は、この注目する情報がわかりやすいようにレイアウトされていることが望ましい。
【０００５】
従来、報告書を作成する際には、ユーザーが実際に画像やスペクトルを報告書上の様々な位置に配置してみるなど試行錯誤して、注目する情報がわかりやすいレイアウトを探し出していた。そのため、報告書の作成に手間がかかっていた。
【０００６】
本発明は、以上のような問題点に鑑みてなされたものであり、本発明のいくつかの態様によれば、容易に報告書を作成することができる報告書作成装置、プログラム、および情報記憶媒体を提供することができる。
【課題を解決するための手段】
【０００７】
（１）本発明に係る報告書作成装置は、
分析装置で取得した測定データの解析結果を示す報告書を作成する報告書作成装置であって、
前記測定データに対する解析を行うためのユーザーの操作を操作情報として操作情報記憶部に記憶させる操作情報取得部と、
前記操作情報記憶部に記憶された前記操作情報に基づいて、レイアウト情報記憶部に記憶された複数のレイアウト情報から１つの前記レイアウト情報を選択するレイアウト選択部と、
選択された前記レイアウト情報に基づいて、前記測定データを配置して報告書を作成する報告書作成部と、
を含む。
【０００８】
このような報告書作成装置では、レイアウト選択部が操作情報に基づいてレイアウトを選択するため、測定データを解析するためのユーザーの操作が反映された報告書を容易に作成することができる。測定データを解析するためのユーザーの操作には、ユーザーが解析の際に注目していたポイント（情報）が反映される。したがって、このような報告書作成装置では、ユーザーが解析を行う際に注目していたポイント（情報）が反映された報告書を容易に作成することができる。
【０００９】
（２）本発明に係る報告書作成装置において、
前記操作情報取得部は、前記操作情報を受け付けて、順次、前記操作情報記憶部に記憶させ、
前記レイアウト選択部は、前記操作情報記憶部に記憶された前記操作情報の履歴に基づいて、前記レイアウト情報を選択してもよい。
【００１０】
このような報告書作成装置では、測定データに対する解析が複数回行われた場合であっても、操作情報の履歴から報告書作成の指示が行われた時点での測定データの解析状況の情報を得ることができる。そのため、このような報告書作成装置では、測定データに対する解析が複数回行われた場合であっても、ユーザーが解析を行う際に注目していたポイントが反映された報告書を容易に作成することができる。
【００１１】
（３）本発明に係る報告書作成装置において、
前記レイアウト情報は、前記測定データの種類の情報、前記報告書上における前記測定データが表示される領域の位置の情報、および前記報告書上における前記測定データが表示される領域の大きさの情報を含んでいてもよい。
【００１２】
（４）本発明に係る報告書作成装置において、
前記操作情報を入力するための操作部と、
前記操作情報に基づいて、前記測定データに対する解析を行う解析部と、
を含んでいてもよい。
【００１３】
（５）本発明に係るプログラムは、
分析装置で取得した測定データの解析結果を示す報告書を作成するためのプログラムであって、
前記測定データに対する解析を行うためのユーザーの操作を操作情報として操作情報記憶部に記憶させる操作情報取得部と、
前記操作情報記憶部に記憶された前記操作情報に基づいて、レイアウト情報記憶部に記憶された複数のレイアウト情報から１つの前記レイアウト情報を選択するレイアウト選択部と、
選択された前記レイアウト情報に基づいて、前記測定データを配置して報告書を作成する報告書作成部としてコンピューターを機能させる。
【００１４】
このようなプログラムでは、ユーザーが解析を行う際に注目していたポイント（情報）が反映された報告書を容易に作成することができる。
【００１５】
（６）本発明に係る情報記憶媒体は、
分析装置で取得した測定データの解析結果を示す報告書を作成するためのプログラムを記憶したコンピューター読み取り可能な非一時的な情報記憶媒体であって、
前記測定データに対する解析を行うためのユーザーの操作を操作情報として操作情報記憶部に記憶させる操作情報取得部と、
前記操作情報記憶部に記憶された前記操作情報に基づいて、レイアウト情報記憶部に記憶された複数のレイアウト情報から１つの前記レイアウト情報を選択するレイアウト選択部と、
選択された前記レイアウト情報に基づいて、前記測定データを配置して報告書を作成する報告書作成部としてコンピューターを機能させるプログラムを記憶している。
【００１６】
（７）本発明に係る報告書作成方法は、
分析装置で取得した測定データの解析結果を示す報告書を作成する報告書作成方法であ
って、
前記測定データに対する解析を行うためのユーザーの操作を操作情報として操作情報記憶部に記憶させる操作情報取得工程と、
前記操作情報記憶部に記憶された前記操作情報に基づいて、レイアウト情報記憶部に記憶された複数のレイアウト情報から１つの前記レイアウト情報を選択するレイアウト選択工程と、
選択された前記レイアウト情報に基づいて、前記測定データを配置して報告書を作成する報告書作成工程と、
を含む。
【００１７】
このような報告書作成方法では、ユーザーが解析を行う際に注目していたポイント（情報）が反映された報告書を容易に作成することができる。
【図面の簡単な説明】
【００１８】
【図１】本実施形態に係る報告書作成装置を含む分析システムの構成を示す図。
【図２】本実施形態に係る報告書作成装置の機能ブロック図。
【図３】本実施形態に係る報告書作成装置の表示部に表示される解析画面の一例を示す図。
【図４】本実施形態に係る報告書作成装置の表示部に表示される解析画面の一例を示す図。
【図５】スペクトルの解析結果を示すためのレイアウト情報の一例を示す図。
【図６】スペクトルの解析結果を示す報告書の一例を示す図。
【図７】本実施形態に係る報告書作成装置の表示部に表示される解析画面の一例を示す図。
【図８】本実施形態に係る報告書作成装置の表示部に表示される解析画面の一例を示す図。
【図９】マップ画像の解析結果を示すためのレイアウト情報の一例を示す図。
【図１０】マップ画像の解析結果を示す報告書の一例を示す図。
【図１１】本実施形態に係る報告書作成装置の表示部に表示される解析画面の一例を示す図。
【図１２】スペクトルの解析結果を示す報告書の一例を示す図。
【図１３】本実施形態に係る報告書作成装置の表示部に表示される解析画面の一例を示す図。
【図１４】スペクトルを比較した結果を示す報告書の一例を示す図。
【図１５】スペクトルの解析結果を示す報告書の一例を示す図。
【図１６】本実施形態に係る報告書作成装置の表示部に表示される解析画面の一例を示す図。
【図１７】１つの画像の解析結果を示す報告書の一例を示す図。
【図１８】本実施形態に係る報告書作成装置の表示部に表示される解析画面の一例を示す図。
【図１９】測長結果を示す報告書の一例を示す図。
【図２０】本実施形態に係る報告書作成装置の処理部の処理の流れの一例を示すフローチャート。
【発明を実施するための形態】
【００１９】
以下、本発明の好適な実施形態について図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２０】
１．  報告書作成装置
まず、本実施形態に係る報告書作成装置の構成について、図面を参照しながら説明する。図１は、本実施形態に係る報告書作成装置１００を含む分析システム１の構成を示す図である。
【００２１】
分析システム１は、図１に示すように、報告書作成装置１００と、分析装置２００と、を含んで構成されている。分析装置２００は、測定データを得ることができる装置であれば特に限定されない。分析装置２００は、例えば、走査電子顕微鏡（ＳＥＭ）、透過電子顕微鏡（ＴＥＭ）、走査透過電子顕微鏡（ＳＴＥＭ）などの電子顕微鏡や、質量分析装置（ＭＳ）、電子プローブマイクロアナライザー（ＥＰＭＡ）、光電子分光装置（ＸＰＳ）、蛍光Ｘ線分析装置、核磁気共鳴装置（ＮＭＲ）などである。
【００２２】
分析装置２００で得られる測定データの種類としては、画像データ、スペクトルデータなどが挙げられる。例えば、分析装置２００が走査電子顕微鏡（ＳＥＭ）である場合、分析装置２００で得られる画像データとしては、走査電子顕微鏡像（二次電子像や反射電子像など）のデータや、マップ画像（ＥＤＳマッピング分析による元素マップ画像など）のデータなどが挙げられる。また、分析装置２００が走査電子顕微鏡である場合、分析装置２００で得られるスペクトルデータとしては、ＥＤＳスペクトルデータや、ＷＤＳスペクトルデータなどが挙げられる。測定データには、測定データを取得したときの測定条件の情報も含まれている。
【００２３】
報告書作成装置１００は、分析装置２００から測定データを取得し、測定データの解析結果を示す報告書を作成する。報告書作成装置１００で作成される報告書には、測定データから得られた画像や、スペクトル、測定条件、測定データに対する各種演算結果（定量分析の結果、定性分析の結果など）などが、所定のレイアウトで配置される。
【００２４】
図２は、本実施形態に係る報告書作成装置１００の機能ブロック図である。なお、本実施形態に係る報告書装置は、図２に示す構成要素の一部を省略した構成としてもよい。
【００２５】
報告書作成装置１００は、図２に示すように、処理部１１０と、操作部１２０と、記憶部１３０と、情報記憶媒体１４０と、表示部１５０と、音出力部１６０と、通信部１７０と、を含んで構成されている。
【００２６】
操作部１２０は、ユーザーからの操作情報を入力するための機器であり、ユーザーの操作情報を処理部１１０に出力する。操作部１２０の機能は、タッチパネル（タッチパネル型ディスプレイ）、タッチパッド、マウス、方向キーやボタン、キーボード等の入力機器により実現することができる。
【００２７】
記憶部１３０は、処理部１１０や通信部１７０などのワーク領域となるもので、その機能はＲＡＭ（ＶＲＡＭ）などにより実現できる。記憶部１３０には、後述するように操作情報が記憶される。すなわち、記憶部１３０は、操作情報記憶部として機能する。
【００２８】
情報記憶媒体１４０（コンピューターにより読み取り可能な媒体（非一時的な情報記憶媒体））は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などにより実現できる。処理部１１０は、情報記憶媒体１４０に格納されるプログラム（データ）に基づいて本実施形態の種々の処理を行う。すなわち、情報記憶媒体１４０には、処理部１１０の各部としてコンピューターを機能させるためのプログラム（各部の処理をコンピューターに実行させるためのプログラム）が記憶される。
【００２９】
本実施形態では、情報記憶媒体１４０には、報告書のレイアウトに関する情報であるレイアウト情報が複数記憶されている。すなわち、本実施形態では、情報記憶媒体１４０が、レイアウト情報が複数記憶されたレイアウト情報記憶部として機能する。なお、記憶部１３０がレイアウト情報記憶部として機能してもよい。
【００３０】
表示部１５０は、処理部１１０で生成された画像（例えば測定データの解析結果や、作成された報告書等）を出力するものであり、その機能は、ＬＣＤ、ＣＲＴ、或いはタッチパネルなどのディスプレイにより実現できる。
【００３１】
音出力部１６０は、処理部１１０で生成された音を出力するものであり、その機能は、スピーカ、或いはヘッドフォンなどにより実現できる。
【００３２】
通信部１７０はサーバとの間で通信を行うための各種制御を行うものであり、その機能は、各種プロセッサまたは通信用ＡＳＩＣなどのハードウェアや、プログラムなどにより実現できる。
【００３３】
処理部１１０（プロセッサ）は、操作部１２０からの操作情報、プログラム、通信部１７０を介して受信したデータなどに基づいて、測定データを解析する処理、測定データから報告書を作成する処理などの処理を行う。処理部１１０は、記憶部１３０をワーク領域として各種処理を行う。処理部１１０の機能は、各種プロセッサ（ＣＰＵ、ＤＳＰ等）でプログラムを実行することにより実現することができる。なお、処理部１１０の機能の少なくとも一部を、ＡＳＩＣ（ゲートアレイ等）などの専用回路により実現してもよい。
【００３４】
処理部１１０は、解析部１１２と、操作情報取得部１１４と、レイアウト選択部１１６と、報告書作成部１１８と、を含む。
【００３５】
解析部１１２は、分析装置２００から取得した測定データに対する解析を行う。解析部１１２は、操作部１２０からの操作情報に基づいて、ユーザーから指定された測定データに対して、ユーザーにより指定された解析を行う。解析部１１２は、解析結果を表示部１５０に表示させる制御を行う。
【００３６】
解析部１１２は、例えば、測定データを解析するためのユーザーインターフェイス（解析画面）を表示部１５０に表示させる制御を行う。ユーザーは、当該ユーザーインターフェイスを用いて、測定データを読み込む処理を行った後、所望の解析をユーザーインターフェイスのボタンやメニューなどから選択して測定データに対して適用するといった操作（測定データに対する解析を行うための操作）を行う。
【００３７】
測定データに対する解析としては、画像やスペクトルに対する各種演算処理（微分処理、積分処理、平滑化処理、定性分析処理、定量分析処理など）、画像の測長、画像の比較、スペクトルの比較、などが挙げられる。また、測定データに対する解析としては、さらに、画像やスペクトルの表示方法の変更（色の変更、拡大または縮小する領域の変更、表示倍率の変更）、画像上やスペクトル上へのコメントの追加、マッピングデータからのスペクトルデータの抽出、マッピングデータからのラインデータの抽出などが挙げられる。
【００３８】
操作情報取得部１１４は、測定データに対する解析を行うためのユーザーの操作を操作情報として記憶部１３０に記憶させる処理を行う。操作情報取得部１１４は、操作部１２０から出力された操作情報を受け付けて、当該操作情報を記憶部１３０に記憶させる処理を行う。
【００３９】
操作情報取得部１１４は、操作部１２０から出力された操作情報を受け付けて、順次、
記憶部１３０に記憶させる。そのため、記憶部１３０に記憶された複数の操作情報から、操作情報の履歴（操作が行われた順序）の情報、すなわち測定データに対する解析の履歴（解析の順序）の情報を得ることができる。
【００４０】
レイアウト選択部１１６は、記憶部１３０に記憶された操作情報に基づいて、情報記憶媒体１４０に記憶された複数のレイアウト情報から１つのレイアウト情報を選択する。レイアウト選択部１１６は、記憶部１３０に記憶された操作情報から報告書作成の指示が行われた時点での測定データの解析状況の情報を得て、当該解析状況にあったレイアウト情報を選択する。
【００４１】
測定データの解析状況の情報には、解析が行われた測定データの種類と数、解析画面における測定データの表示状態、測定データに対して行われた演算処理（定量分析処理など）の種類、などの情報が含まれる。
【００４２】
レイアウト情報は、報告書のレイアウトに関する情報である。レイアウト情報には、報告書に表示される測定データの種類と数、報告書上における測定データが表示される領域の位置、報告書上における測定データが表示される領域の大きさ、などの情報が含まれる。また、レイアウト情報には、さらに、測定条件が表示される領域の位置と大きさの情報、演算処理の種類とその結果が表示される領域の位置と大きさの情報が含まれていてもよい。なお、レイアウト情報には、報告書上に測定データをレイアウトするためのその他の情報が含まれていてもよい。
【００４３】
ここで、測定データの解析状況の情報に含まれる情報の少なくとも一部は、レイアウト情報に含まれる情報の少なくとも一部と対応している。例えば、解析状況の情報に含まれる、解析が行われた測定データの種類と数の情報は、レイアウト情報に含まれる、表示される測定データの種類と数の情報と対応している。また、解析状況の情報に含まれる、測定データに対して行われた演算処理の種類の情報は、レイアウト情報に含まれる、演算処理の種類の情報と対応している。レイアウト選択部１１６は、複数のレイアウト情報のなかから、解析状況の情報に含まれるこれらの対応する情報と一致する情報を持つレイアウト情報（または最も一致する情報の数が多いレイアウト情報）を選択する。
【００４４】
ここで、測定データに対する解析は、複数回行われる場合がある。例えば、スペクトルに対して平滑化処理を行った後に、定量分析処理を行う場合などである。このような場合でも、記憶部１３０に記憶された操作情報からは、上述したように、操作情報の履歴の情報、すなわち測定データに対する解析の履歴の情報を得ることができる。この操作情報の履歴から報告書作成の指示が行われた時点での解析状況の情報を得ることができる。したがって、レイアウト選択部１１６は、解析が複数回行われた場合であっても、操作情報の履歴に基づいて、適切なレイアウト情報を選択できる。
【００４５】
上述したように、情報記憶媒体１４０には、複数のレイアウト情報が記憶されている。レイアウト情報は、解析部１１２で行われる解析に応じてあらかじめ複数準備されている。
【００４６】
例えば、情報記憶媒体１４０に記憶される複数のレイアウト情報は、画像の解析結果を示すためのレイアウト情報、スペクトルの解析結果を示すためのレイアウト情報、画像およびスペクトルの両方の解析結果を含むレイアウト情報に大別できる。
【００４７】
画像の解析結果を示すためのレイアウト情報としては、例えば、１つの画像の解析結果を示すためのレイアウト情報、複数の画像を比較した結果を示すためのレイアウト情報、測長結果を示すためのレイアウト情報、マップ画像の解析結果を示すためのレイアウト情
報、などが挙げられる。また、スペクトルの解析結果を示すためのレイアウト情報としては、例えば、１つのスペクトルの解析結果を示すためのレイアウト情報、複数のスペクトルを比較した結果を示すためのレイアウト情報、定量分析の結果を示すためのレイアウト情報などが挙げられる。また、画像およびスペクトルの両方の解析結果を含むレイアウト情報としては、例えば、上記のレイアウト情報を組み合わせたレイアウト情報などが挙げられる。
【００４８】
報告書作成部１１８は、レイアウト選択部１１６で選択されたレイアウト情報に基づいて、報告書を作成する処理を行う。報告書作成部１１８は、選択されたレイアウト情報に従って、報告書上の指定された位置に指定された画像やスペクトルを、指定された大きさで配置して報告書を作成する。
【００４９】
報告書作成部１１８は、操作情報に基づいて、測定データを解析するためのユーザーの操作を反映した表示状態で、測定データを報告書上のレイアウト情報で指定された領域に表示させる。報告書作成部１１８は、例えば、報告書作成の指示が行われた時点の表示状態を反映した画像やスペクトルを報告書上に表示させることができる。すなわち、例えば、解析画面上に表示されていた画像やスペクトルがそのまま報告書上に表示される。
【００５０】
なお、報告書作成部１１８は、測定データが保存された時点での画像やスペクトルの表示状態を反映した画像やスペクトルを報告書上に表示させてもよい。いつの時点（報告書作成の指示の時点または測定データが保存された時点）での測定データの表示状態を反映するかは、ユーザーの要求により選択可能になっていてもよい。
【００５１】
報告書作成部１１８は、作成された報告書を所定のファイルフォーマットで出力してもよいし、プリンタに出力してもよい。
【００５２】
２．  手法
次に、本実施形態の手法について、図面を参照しながら説明する。以下では、報告書作成装置１００における報告書を作成する方法について、解析の手法ごとに説明する。
【００５３】
２．１．  スペクトルの解析結果を示す報告書の作成
まず、報告書作成装置１００がスペクトルの解析結果を示す報告書を作成する場合について説明する。
【００５４】
図３および図４は、報告書作成装置１００の表示部１５０に表示される解析画面の一例を示す図である。
【００５５】
図３および図４に示す解析画面は、スペクトルの解析を行うためのＧＵＩ（グラフィカルユーザーインターフェース）画面である。解析画面には、スペクトルの平滑化処理を実行するための平滑化ボタンＡ１、定性分析処理を実行するための定性ボタンＡ２、定量分析処理を実行するための定量ボタンＡ３が表示されている。また、解析画面には、報告書を作成する処理を実行するため報告書作成ボタンＲが表示されている。なお、解析画面に表示されるボタンやメニューはこれらに限定されず、スペクトルに対する解析を実行するためのその他のボタンやメニューが表示されていてもよい。以下、スペクトルデータに対する解析の手順を説明する。
【００５６】
ユーザーが操作部１２０を用いて、サンプル像Ｉ１、分析視野を示すＳＥＭ像Ｉ２、スペクトルＳ１を選択する操作を行うと、図３に示すように、解析画面に、サンプル像Ｉ１、ＳＥＭ像Ｉ２、スペクトルＳ１が表示される。画像データやスペクトルデータの選択は、例えば、画像データのファイルやスペクトルデータのファイルを選択（指定）し、選択
したデータを解析画面に移動させる（ドラッグ＆ドロップする）といった操作で行うことができる。
【００５７】
次に、ユーザーが操作部１２０を用いて平滑化ボタンＡ１に対する押下操作を行うと、スペクトルＳ１が平滑化される。次に、ユーザーが操作部１２０を用いて定性ボタンＡ２に対する押下操作を行うと、スペクトルＳ１に対して定性分析処理が行われる。これにより、図３に示すようにスペクトルＳ１上には、定性分析の結果が表示される。
【００５８】
次に、ユーザーが操作部１２０を用いて定量ボタンＡ３に対する押下操作を行うと、スペクトルＳ１に対して定量分析処理が行われる。この結果、図４に示すように、解析画面には、定量分析の結果を示すテーブルＴ１が表示される。
【００５９】
上記のようにして、スペクトルに対して解析が行われた後に、ユーザーが操作部１２０を用いて報告書作成ボタンＲに対する押下操作を行うと、報告書が自動で作成される。
【００６０】
ここで、報告書作成装置１００では、操作情報取得部１１４が操作情報を、順次、記憶部１３０に記憶させる処理を行うため、記憶部１３０には上記のユーザーの操作に関する操作情報が記憶されている。具体的には、記憶部１３０には、サンプル像Ｉ１、ＳＥＭ像Ｉ２、スペクトルＳ１を選択する操作に関する操作情報、スペクトルＳ１に対して平滑化処理を行うための操作に関する操作情報、測定データに対して定性分析処理を行うための操作に関する操作情報、定量分析処理を行うための操作に関する操作情報が記憶されている。
【００６１】
レイアウト選択部１１６は、これらの操作情報に基づいて、情報記憶媒体１４０に記憶されている複数のレイアウト情報から１つのレイアウト情報を選択する。
【００６２】
図５は、スペクトルの解析結果を示すためのレイアウト情報の一例を示す図である。図５に示す例では、レイアウト情報は、報告書上におけるサンプル像が表示される領域の位置と大きさの情報ｉ１、報告書上における分析視野を示すＳＥＭ像が表示される領域の位置と大きさの情報ｉ２、ＳＥＭ像の測定条件が表示される領域の位置と大きさの情報ｉ３、報告書上におけるスペクトルが表示される領域の位置と大きさの情報ｉ４、報告書上における定量分析の結果を示すテーブルが表示される領域の位置と大きさの情報ｉ５、を含む。
【００６３】
レイアウト選択部１１６は、記憶部１３０に記憶された操作情報から、サンプル像Ｉ１、ＳＥＭ像Ｉ２、スペクトルＳ１、およびテーブルＴ１が解析画面に表示されている状態であるとの情報（解析状況の情報）を得る。この解析状況の情報に含まれる測定データの種類と数（サンプル像Ｉ１、ＳＥＭ像Ｉ２、スペクトルＳ１）および演算処理（定量分析処理）の種類の情報は、図５に示すレイアウト情報に含まれる測定データの種類と数および演算処理の種類の情報と一致する。そのため、レイアウト選択部１１６は、図５に示すレイアウト情報を選択する。
【００６４】
図６は、スペクトルの解析結果を示す報告書の一例を示す図である。
【００６５】
報告書作成部１１８は、図５に示すレイアウト情報に従って、報告書上にサンプル像Ｉ１、ＳＥＭ像Ｉ２、スペクトルＳ１、および定量結果のテーブルＴ１を配置し、図６に示す報告書を作成する。このとき、サンプル像Ｉ１、ＳＥＭ像Ｉ２、スペクトルＳ１は、解析画面に表示された状態がそのまま報告書に反映される。
【００６６】
２．２．  マップ画像の解析結果を示す報告書の作成
次に、報告書作成装置１００がマップ画像の解析結果を示す報告書を作成する場合について説明する。図７および図８は、報告書作成装置１００の表示部１５０に表示される解析画面の一例を示す図である。
【００６７】
図７および図８に示す解析画面は、マップ画像の解析を行うためのＧＵＩ画面である。解析画面には、マップ画像からスペクトルを抽出するためのスペクトル表示ボタンＡ４および報告書作成ボタンＲが表示されている。なお、解析画面に表示されるボタンやメニューはこれらに限定されず、マップ画像に対する解析を実行するためのその他のボタンやメニューが表示されていてもよい。以下、マップ画像に対する解析の手順を説明する。
【００６８】
ユーザーが操作部１２０を用いてマッピング時の電子プローブの電流量の分布を示す画像Ｉ３、およびマッピング領域のＳＥＭ像Ｉ４を選択する操作を行うと、図７に示すように、解析画面に画像Ｉ３およびＳＥＭ像Ｉ４が表示される。次に、ユーザーが操作部１２０を用いて複数の元素マップ画像Ｍ１，Ｍ２，Ｍ３，Ｍ４を選択する操作を行うと、元素マップ画像Ｍ１，Ｍ２，Ｍ３，Ｍ４が表示される。
【００６９】
次に、ユーザーが操作部１２０を用いてスペクトル表示ボタンＡ４に対して押下操作を行うと、図８に示すように、スペクトルＳ２（マッピング領域の全体のＥＤＳスペクトル）が表示される。
【００７０】
上記のようにして、マップ画像に対して解析が行われた後、ユーザーが操作部１２０を用いて報告書作成ボタンＲに対する押下操作を行うと、報告書が自動で作成される。
【００７１】
ここで、記憶部１３０には、画像Ｉ３を表示させるための操作に関する操作情報、ＳＥＭ像Ｉ４を表示させるための操作に関する操作情報、元素マップ画像Ｍ１、Ｍ２，Ｍ３，Ｍ４を表示させるための操作に関する操作情報、スペクトルＳ２を表示させるための操作に関する操作情報、が記憶されている。
【００７２】
レイアウト選択部１１６は、これらの操作情報に基づいて、情報記憶媒体１４０に記憶されている複数のレイアウト情報から１つのレイアウト情報を選択する。
【００７３】
図９は、マップ画像の解析結果を示すためのレイアウト情報の一例を示す図である。図９に示す例では、レイアウト情報は、報告書上における電子プローブの電流量の分布を示す画像が表示される領域の位置と大きさの情報ｉ１０、報告書上におけるＳＥＭ像が表示される領域の位置と大きさの情報ｉ１１、報告書上における４つの元素マップ画像が表示される領域の位置と大きさの情報ｉ１２，ｉ１３，ｉ１４，ｉ１５、報告書上におけるスペクトルが表示される領域の位置と大きさの情報ｉ１６、元素の凡例が表示される領域の位置と大きさの情報ｉ１７を含む。
【００７４】
記憶部１３０に記憶された操作情報から、画像Ｉ３、ＳＥＭ像Ｉ４、元素マップ画像Ｍ１，Ｍ２，Ｍ３，Ｍ４、およびスペクトルＳ２が表示されている状態であるとの情報（解析状況の情報）が得られる。この解析状況の情報に含まれる測定データの種類と数（すなわち、画像Ｉ３、ＳＥＭ像Ｉ４、スペクトルＳ２）とレイアウト情報に含まれる測定データの種類および数は一致する。そのため、レイアウト選択部１１６は、情報記憶媒体１４０に記憶されている複数のレイアウト情報から図９に示すレイアウト情報を選択する。
【００７５】
図１０は、マップ画像の解析結果を示す報告書の一例を示す図である。
【００７６】
報告書作成部１１８は、図９に示すレイアウト情報に従って、報告書上に、画像Ｉ３、ＳＥＭ像Ｉ４、元素マップ画像Ｍ１，Ｍ２，Ｍ３，Ｍ４、スペクトルＳ２、および元素の
凡例を配置し、図１０に示す報告書を作成する。
【００７７】
２．３．  スペクトルの比較
次に、報告書作成装置１００が、スペクトルを比較した結果を示す報告書を作成する場合について説明する。図１１は、報告書作成装置１００の表示部１５０に表示される解析画面の一例を示す図である。図１１に示す解析画面は、スペクトルの解析を行うためのＧＵＩ画面である。
【００７８】
ユーザーが操作部１２０を用いてスペクトルデータを表示させる操作を行うと、図１１に示すように、スペクトルＳ３が表示される。
【００７９】
この状態で、ユーザーが操作部１２０を用いて報告書作成ボタンＲに対する押下操作を行うと、図１２に示す報告書が自動で作成される。
【００８０】
報告書作成ボタンＲに対する押下操作が行われた時には、記憶部１３０にはスペクトルＳ３を表示させるための操作に関する操作情報のみが記憶されている。そのため、レイアウト選択部１１６は１つのスペクトルを表示するためのレイアウト情報を選択する。したがって、報告書作成部１１８によって作成された報告書には、図１２に示すように、スペクトルＳ３が単独で表示される。
【００８１】
次に、ユーザーが操作部１２０を用いてスペクトルデータを追加する操作（例えば、スペクトルデータのファイルを選択（指定）し、選択したスペクトルデータを解析画面に移動させる（ドラッグ＆ドロップする）操作）を行うと、図１３に示すように、解析画面にスペクトルＳ４が追加される。
【００８２】
この状態で、ユーザーが操作部１２０を用いて報告書作成ボタンＲに対する押下操作を行うと、図１４に示す報告書が自動で作成される。
【００８３】
報告書作成ボタンＲに対する押下操作が行われた時には、記憶部１３０には、スペクトルＳ３を表示させるための操作に関する操作情報と、スペクトルＳ４を表示させるための操作に関する操作情報と、が記憶されている。そのため、レイアウト選択部１１６は２つのスペクトルを比較した結果を示すためのレイアウト情報を選択する。当該レイアウト情報には、２つのスペクトルを比較しやすいように２つのスペクトルを並べて配置するレイアウトが採用されている。したがって、報告書作成部１１８によって作成された報告書には、図１４に示すように、スペクトルＳ３とスペクトルＳ４とが並んで表示される。
【００８４】
次に、ユーザーが操作部１２０を用いてスペクトルＳ３を削除する操作を行うと、スペクトルＳ３が削除される。
【００８５】
この状態で、ユーザーが操作部１２０を用いて報告書作成ボタンＲに対する押下操作を行うと、図１５に示す報告書が自動で作成される。報告書作成ボタンＲに対する押下操作が行われた時には、記憶部１３０には、スペクトルＳ３を表示させるための操作に関する操作情報、スペクトルＳ４を表示させるための操作に関する操作情報、スペクトルＳ３を削除するための操作に関する操作情報が記憶されている。レイアウト選択部１１６は、操作情報に基づいて、１つのスペクトルを表示するためのレイアウト情報を選択する。したがって、報告書作成部１１８によって作成された報告書には、図１５に示すように、スペクトルＳ４が単独で表示される。
【００８６】
２．４．  測長
次に、報告書作成装置１００が測長結果を示す報告書を作成する場合について説明する
。図１６は、報告書作成装置１００の表示部１５０に表示される解析画面の一例を示す図である。図１６に示す解析画面は、画像の測長を行うためのＧＵＩ画面である。解析画面には、測長を行うための測長ボタンＡ５および報告書作成ボタンＲが表示されている。
【００８７】
ユーザーが操作部１２０を用いてＳＥＭ像Ｉ５を選択する操作を行うと、図１６に示すように、解析画面にＳＥＭ像Ｉ５が表示される。この状態で、ユーザーが操作部１２０を用いて報告書作成ボタンＲに対する押下操作を行うと、図１７に示す報告書が自動で作成される。
【００８８】
報告書作成ボタンＲに対する押下操作が行われた時には、記憶部１３０にはＳＥＭ像Ｉ５を表示させるための操作に関する操作情報のみが記憶されている。そのため、レイアウト選択部１１６は１つの画像を表示するためのレイアウト情報を選択する。したがって、報告書作成部１１８によって作成された報告書には、図１７に示すように、ＳＥＭ像Ｉ５が単独で表示される。
【００８９】
次に、ユーザーが操作部１２０を用いてＳＥＭ像Ｉ５上で測長を行うための操作（例えば、測長ボタンＡ５に対する押下操作を行った後に、ＳＥＭ像Ｉ５上でラインＬを描く操作）を行うと、図１８に示すように、測長結果が表示される。
【００９０】
この状態で、ユーザーが操作部１２０を用いて報告書作成ボタンＲに対する押下操作を行うと、図１９に示す報告書が自動で作成される。
【００９１】
報告書作成ボタンＲに対する押下操作が行われた時には、記憶部１３０にはＳＥＭ像Ｉ５を表示させるための操作に関する操作情報と、測長を行うための操作に関する操作情報と、が記憶されている。そのため、レイアウト選択部１１６は、測長結果を示すためのレイアウト情報を選択する。したがって、報告書作成部１１８によって作成された報告書には、図１９に示すように、ＳＥＭ像Ｉ５およびＳＥＭ像Ｉ５上に示された測長結果が表示される。
【００９２】
３．  処理
次に、本実施形態に係る報告書作成装置１００の処理部１１０の処理について、図面を参照しながら説明する。ここでは、処理部１１０の報告書を作成する処理について説明する。
【００９３】
図２０は、本実施形態に係る報告書作成装置１００の処理部１１０の処理の流れの一例を示すフローチャートである。
【００９４】
解析部１１２は、操作部１２０からの操作情報に基づいて、ユーザーから指定された測定データに対してユーザーにより指定された解析処理を行う。
【００９５】
操作情報取得部１１４は、操作部１２０から出力された操作情報に基づいて、ユーザーが解析指示を行ったか否かを判定する処理を行う（ステップＳ１０２）。操作情報取得部１１４は、例えば、解析画面（ＧＵＩ）の操作が行われた場合に、ユーザーが解析指示を行ったと判定する。
【００９６】
ユーザーが解析指示を行ったと判定された場合（ステップＳ１０２でＹＥＳの場合）、操作情報取得部１１４は、操作部１２０から出力された操作情報を記憶部１３０に記憶させる処理を行う（ステップＳ１０４）。
【００９７】
一方、ユーザーが解析指示を行わなかったと判定された場合（ステップＳ１０２でＮＯ
の場合）、レイアウト選択部１１６はユーザーが報告書作成指示を行ったか否かを判定する（ステップＳ１０６）。レイアウト選択部１１６は、例えば、報告書作成ボタンＲに対する押下操作が行われた場合に、ユーザーが報告書作成指示を行ったと判定する。
【００９８】
操作情報取得部１１４は、ユーザーが報告書作成指示を行ったと判定されるまで、解析指示が行われたか否かを判定する処理（ステップＳ１０２）および操作情報を記憶部１３０に記憶させる処理（ステップＳ１０４）を繰り返し行う。
【００９９】
ユーザーが報告書作成指示を行ったと判定された場合（ステップＳ１０６でＹＥＳの場合）、レイアウト選択部１１６は、記憶部１３０に記憶された操作情報に基づいて、複数のレイアウト情報から１つのレイアウト情報を選択する（ステップＳ１０８）。
【０１００】
次に、報告書作成部１１８は、レイアウト選択部１１６で選択されたレイアウト情報に基づいて、報告書を作成する処理を行う（ステップＳ１１０）。報告書作成部１１８は作成された報告書を所定のファイルフォーマットで出力し（またはプリンタに出力し）、処理部１１０は処理を終了する。
【０１０１】
なお、処理部１１０は、ステップＳ１１０の後に処理を終了せずに、ステップＳ１０２に戻って報告書を作成する処理（ステップＳ１０２〜Ｓ１１０の処理）を繰り返し行ってもよい。
【０１０２】
報告書作成装置１００は、例えば、以下の特徴を有する。
【０１０３】
報告書作成装置１００では、操作情報取得部１１４が測定データを解析するためのユーザーの操作を操作情報として記憶部１３０に記憶させ、レイアウト選択部１１６が記憶部１３０に記憶された操作情報に基づいて情報記憶媒体１４０（レイアウト情報記憶部）に記憶された複数のレイアウト情報から１つのレイアウト情報を選択し、報告書作成部１１８が選択されたレイアウト情報に基づいて報告書を作成する。
【０１０４】
このように報告書作成装置１００では、レイアウト選択部１１６が操作情報に基づいてレイアウトを選択するため、測定データを解析するためのユーザーの操作が反映された報告書を容易に作成することができる。測定データを解析するためのユーザーの操作には、ユーザーが解析の際に注目していたポイント（情報）が反映される。したがって、報告書作成装置１００では、ユーザーが解析を行う際に注目していたポイント（情報）が反映された報告書を容易に作成することができる。よって、報告書作成のための手間や時間を低減できる。
【０１０５】
また、報告書作成装置１００では、レイアウト選択部１１６が操作情報に基づいてレイアウト情報を選択するため、ユーザーが同じ手順で解析を行うことで、同じレイアウト情報が選択される。そのため、報告書作成装置１００では、ユーザーが同じ手順で解析を行うことで、同じレイアウト情報で作成された報告書を得ることができる。同じレイアウト情報で作成された報告書は、例えば、結果の比較が容易である。
【０１０６】
４．  変形例
本発明は上述した実施形態に限定されず、本発明の要旨の範囲内で種々の変形実施が可能である。なお、上述した実施形態と異なる点について説明し、同様の点については説明を省略する。
【０１０７】
４．１．  第１変形例
上述した実施形態では、レイアウト選択部１１６がレイアウト情報を選択していたが、
ユーザーがレイアウト選択部１１６が選択したレイアウト情報を別のレイアウト情報に変更することも可能である。
【０１０８】
本変形例では、報告書作成部１１８は、レイアウト選択部１１６が選択したレイアウト情報に基づいて報告書を作成した後に、作成した報告書を表示部１５０に表示させる処理を行う。これにより、ユーザーは、この作成された報告書を確認して、ユーザーが望む報告書になっているか否かを確認できる。
【０１０９】
ユーザーは、この報告書のレイアウトが適切でないと判断した場合には、ユーザー自身がレイアウト情報を選択する。例えば、処理部１１０は、ユーザーからの要求に応じて情報記憶媒体１４０に記憶されている複数のレイアウト情報の一覧を表示部１５０に表示させる処理を行う。ユーザーは、レイアウト情報の一覧から１つのレイアウト情報を選択する。報告書作成部１１８は、ユーザーが選択したレイアウト情報に基づいて、報告書を作成する。これにより、ユーザーが望む報告書を作成することができる。
【０１１０】
なお、レイアウト選択部１１６は、このレイアウト情報の変更を学習し、その結果を次にレイアウト情報を選択する際に反映する。この結果、よりユーザーの好みにあった報告書を作成することができる。
【０１１１】
４．２．  第２変形例
上述した実施形態では、レイアウト情報はあらかじめ情報記憶媒体１４０に記憶されたレイアウト情報に限られていたが、レイアウト選択部１１６が新たにレイアウト情報を作成する処理を行ってもよい。
【０１１２】
本変形例では、レイアウト選択部１１６は、情報記憶媒体１４０に記憶されている複数のレイアウト情報のなかから、適したレイアウト情報を見つけることができなかった場合に、新たにレイアウト情報を作成する処理を行う。
【０１１３】
例えば、解析画面に５つの測定データが表示されているにも関わらず、５つの測定データを示すためのレイアウト情報が無かった場合、レイアウト選択部１１６は適したレイアウト情報が無いと判断し、レイアウト情報を作成する処理を行う。具体的には、レイアウト選択部１１６は、５つの測定データを示すためのレイアウト情報を作成する。
【０１１４】
このように、レイアウト選択部１１６は、情報記憶媒体１４０に記憶されている複数のレイアウト情報から操作情報に基づき適したレイアウト情報があるか否かの判定を行う。そして、レイアウト選択部１１６は、適したレイアウト情報がないと判断された場合には、新たなレイアウト情報を作成する処理を行う。
【０１１５】
本変形例によれば、ユーザーがレイアウト情報を作成する作業を行う必要がなく、レイアウト情報を作成する手間や時間を低減できる。
【０１１６】
なお、上述した実施形態及び変形例は一例であって、これらに限定されるわけではない。例えば各実施形態及び各変形例は、適宜組み合わせることが可能である。
【０１１７】
本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１１８】
１…分析システム、１００…報告書作成装置、１１０…処理部、１１２…解析部、１１４…操作情報取得部、１１６…レイアウト選択部、１１８…報告書作成部、１２０…操作部、１３０…記憶部、１４０…情報記憶媒体、１５０…表示部、１６０…音出力部、１７０…通信部、２００…分析装置
【図１】
2018106271.tif 000003
【図２】
2018106271.tif 000004
【図３】
2018106271.tif 000005
【図４】
2018106271.tif 000006
【図５】
2018106271.tif 000007
【図６】
2018106271.tif 000008
【図７】
2018106271.tif 000009
【図８】
2018106271.tif 000010
【図９】
2018106271.tif 000011
【図１０】
2018106271.tif 000012
【図１１】
2018106271.tif 000013
【図１２】
2018106271.tif 000014
【図１３】
2018106271.tif 000015
【図１４】
2018106271.tif 000016
【図１５】
2018106271.tif 000017
【図１６】
2018106271.tif 000018
【図１７】
2018106271.tif 000019
【図１８】
2018106271.tif 000020
【図１９】
2018106271.tif 000021
【図２０】
2018106271.tif 000022